(57)【要約】【課題】  ユーザにできるだけ不都合を生じさせることなく、使用期限の管理をより厳格に行えるようにすることを目的とする。【解決手段】  使用期限が設定され、加工物に加工を行うための加工加工処理部と前記加工物が載置されるテーブルと当該テーブルの移動動作を行うテーブル駆動部とを有する加工装置において、前記使用期限と現在の日時情報を記憶する期限管理部と、当該期限管理部における前記使用期限と前記日時情報の比較結果が所定の関係にある場合に前記テーブル駆動部による移動速度だけを通常より低くして加工を行うよう制御する制御部とを備えることを特徴とする。【選択図】図１
2016126682.tif 000002
【特許請求の範囲】
【請求項１】
使用期限が設定され、加工物に加工を行うための加工加工処理部と前記加工物が載置されるテーブルと当該テーブルの移動動作を行うテーブル駆動部とを有する加工装置において、前記使用期限と現在の日時情報を記憶する期限管理部と、当該期限管理部における前記使用期限と前記日時情報の比較結果が所定の関係にある場合に前記テーブル駆動部による移動速度だけを通常より低くして加工を行うよう制御する制御部とを備えることを特徴とする加工装置。
【請求項２】
請求項１に記載の加工装置において、加工単位の加工の終了を検出する加工単位終了検出部を備え、前記制御部は前記期限管理部における前記使用期限と前記日時情報の比較結果が所定の関係にあって前記加工単位終了検出部で加工単位の加工の終了を検出している場合に前記テーブル駆動部による移動速度だけを通常より低くして加工を行うよう制御することを特徴とする加工装置。
【請求項３】
使用期限が設定され、加工物が載置されるテーブルの移動を行って加工を行う加工方法において、前記使用期限と現在日時とを比較し、当該比較結果が所定の関係にある場合に前記テーブルの移動速度だけを通常より低くして加工を行うことを特徴とする加工方法。
【請求項４】
請求項３に記載の加工方法において、加工単位が終了したかどうかを判定し、前記比較結果が所定の関係にあって加工単位の加工が終了している場合に前記テーブルの移動速度だけを通常より低くして加工を行うことを特徴とする加工方法。
【発明の詳細な説明】
【技術分野】
【０００１】
例えばプリント基板のような被加工物にレーザやドリルを使用して穴明け加工を行うための加工装置において、リース契約に基づいて使用期限が設定される場合がある。本発明は、このような場合において、使用期限を管理できるようにした加工装置及び加工方法に関する。
【背景技術】
【０００２】
ユーザに対する装置の使用期限を管理する方法としては種々の技術が知られており、工作機械に関しては、例えば特許文献１に開示されているものがある。この特許文献１の技術においては、電源投入時や起動時において使用期限が切れているかどうかを判定するようにしている。この方式は、使用期限が来た場合、直ちに動作を不能にしないので、ユーザに突然の不都合を生じさせる心配はなくなるものの、電源を切らないとか連続運転させておいた場合には通常動作が継続することになり、ユーザにおいて使用期限が気付かなくなる可能性がある。
【先行技術文献】
【特許文献】
【０００３】
【特許文献１】特開2006-268296号公報
【発明の概要】
【発明が解決しようとする課題】
【０００４】
そこで本発明は、ユーザにできるだけ不都合を生じさせることなく、使用期限を気付きやすくなるようにすることを目的とする。
【課題を解決するための手段】
【０００５】
上記課題を解決するため、請求項１に記載の加工装置においては、使用期限が設定され、加工物に加工を行うための加工加工処理部と前記加工物が載置されるテーブルと当該テーブルの移動動作を行うテーブル駆動部とを有する加工装置において、前記使用期限と現在の日時情報を記憶する期限管理部と、当該期限管理部における前記使用期限と前記日時情報の比較結果が所定の関係にある場合に前記テーブル駆動部による移動速度だけを通常より低くして加工を行うよう制御する制御部とを備えることを特徴とする。
【０００６】
また請求項２に記載の加工装置においては、請求項１に記載の加工装置において、加工単位の加工の終了を検出する加工単位終了検出部を備え、前記制御部は前記期限管理部における前記使用期限と前記日時情報の比較結果が所定の関係にあって前記加工単位終了検出部で加工単位の加工の終了を検出している場合に前記テーブル駆動部による移動速度だけを通常より低くして加工を行うよう制御することを特徴とする。
【０００７】
また請求項３に記載の加工方法においては、使用期限が設定され、加工物が載置されるテーブルの移動を行って加工を行う加工方法において、前記使用期限と現在日時とを比較し、当該比較結果が所定の関係にある場合に前記テーブルの移動速度だけを通常より低くして加工を行うことを特徴とする。
【０００８】
また請求項４に記載の加工方法においては、請求項３に記載の加工方法において、加工単位が終了したかどうかを判定し、前記比較結果が所定の関係にあって加工単位の加工が終了している場合に前記テーブルの移動速度だけを通常より低くして加工を行うことを特徴とする。
【発明の効果】
【０００９】
本発明によれば、ユーザにできるだけ不都合を生じさせることなく、使用期限を気付きやすくなるようにすることができる。
【図面の簡単な説明】
【００１０】
【図１】本発明の実施例１となるレーザ加工装置のブロック図である。
【図２】図１のレーザ加工装置のタイミングチャートである。
【図３】図１のレーザ加工装置の全体制御部の処理を示すフローチャートである。
【図４】本発明の実施例２となるドリル加工装置のブロック図である。
【図５】図４のドリル加工装置のタイミングチャートである。
【図６】図４のドリル加工装置の全体制御部の処理を示すフローチャートである。
【発明を実施するための形態】
【実施例】
【００１１】
以下、本発明の実施の形態について図面を用いて説明する。
実施例１
図１は実施例１となるレーザ加工装置のブロック図、図２はこのレーザ加工装置のタイミングチャート、図３はこのレーザ加工装置の全体制御部による処理のフローチャートである。
【００１２】
図１において、１はプリント基板、２はプリント基板１が載置されるテーブル、３はレーザパルスをプリント基板１に照射して穴明け加工処理をするための光学系で、ここには、ガルバノスキャナや集光（ｆθ）レンズ等が設けられる。４はレーザパルスを光学系３に供給するレーザパルス供給系で、ここにはレーザパルスを発振させるレーザ発振器や分岐制御によって光学系３へのレーザパルスの出力制御を行う音響光学変調器（ＡＯＭ）等が含まれる。
【００１３】
５はテーブルのＸとＹ方向への移動を行うテーブル駆動部で、これの移動速度は通常速度の場合とそれより低速の場合の２種類がある。６は光学系３内のガルバノスキャナを制御するガルバノ制御部、７はレーザパルス供給系４でのレーザパルスの出力を制御するレーザ出力制御部、８は装置の所有者等である管理者が制御情報を入力するための入力部、９はオペレータに各種の情報を伝える役目をする表示部、１０は装置全体の動作を制御する、例えばプログラム制御の処理装置によって実現される全体制御部である。テーブル駆動部５、ガルバノ制御部６、レーザ出力制御部７及び表示部９は、全体制御部１０によって制御される。全体制御部１０は各種の制御機能も有し、図示されていないブロックにも接続されている。
【００１４】
１１は全体制御部１０の中にあって、装置の使用期限を管理するための期限管理部である。期限管理部１１は外部から設定された使用期限と現在の日時情報を記憶するとともに３つのフラグＦ１〜Ｆ３を有し、これらは不揮発性のメモリで構成される。全体制御部１０は、期限管理部１１に記憶されている現在の日時と使用期限とを比較し、使用期限日前の１か月が経過するとフラグＦ１をオンし、使用期限日になるとフラグＦ１をオフしてフラグＦ２をオンし、使用期限日から１か月が経過するとフラグＦ２をオフしてフラグＦ３をオンするようになっている。１２は全体制御部１０の中にあって、例えばテーブル２に載置された一枚のプリント基板１の加工が終了したかどうかを検出する加工単位終了検出部である。
【００１５】
プリント基板１の加工領域は、予めガルバノスキャナによるスキャン領域の大きさに区切られ、スキャン領域毎に逐次穴明け加工を進めるようになっている。全体制御部８は、予め入力されたプリント基板１の穴座標データに基き、テーブル駆動部５に与えてテーブル２の移動を制御するためのテーブルデータ、ガルバノ制御部６に与えてガルバノスキャナの動作を制御するためのガルバノデータ及びレーザ出力制御部７に与えてレーザパルスの出力を制御するためのレーザデータを作成し、それぞれを記憶する。その後、全体制御部８は以下のように穴明け加工を進める。
【００１６】
先ず、全体制御部８は期限管理部９のフラグＦ１〜Ｆ３の状態を調べ、いずれのフラグもオンになっていなければ、通常運転を行う。すなわち、テーブル２の通常速度での移動を指示するテーブル移動指令信号Ｓ１−Ａをテーブル駆動部５に出力させる。テーブル移動動作が終了してテーブル駆動部５からのテーブル動作完了信号Ｓ２を検知すると、全体制御部８はガルバノ動作指令信号Ｓ３をガルバノ制御部６に、かつレーザ出力指令信号Ｓ５をレーザ制御部５に出力する。全体制御部８は、一つのスキャン領域に対するガルバノスキャナの回転動作が終了してガルバノ制御部６からのガルバノ動作完了信号Ｓ４及びレーザ出力動作が終了してレーザ出力制御部５からのレーザ出力動作完了信号Ｓ６を検知すると、次のスキャン領域での加工を目指し、通常速度での移動を指示するテーブル移動指令信号Ｓ１−Ａをテーブル駆動部５に出力させる。以降、同様に動作する。
【００１７】
上記において、もしも期限管理部９のフラグＦ１がオンになっていたら、表示部９に「使用期限日の１か月前になりました。更新手続きを早めに行って下さい。」なるメッセージを表示させておき、通常運転を行う。また、期限管理部９のフラグＦ２がオンになっていたら、加工単位終了検出部１２による加工単位の終了検出を待って、表示部９に「使用期限日になりましたので、低速モードに移行します。１か月以内に更新手続きがないと、装置が停止します。」なるメッセージを表示させておき、この状態おいては、テーブル移動動作を通常より低い速度で行うよう指示するテーブル移動指令信号Ｓ１−Ｂをテーブル駆動部５に出力させるようにし、運転を行う。また、期限管理部９のフラグＦ３がオンになっていたら、加工単位終了検出部１２による加工単位の終了検出を待って、表示部９に「使用期限日から１か月が経過しましたので、装置は停止します。更新手続きを行って下さい。」なるメッセージを表示させておき、装置を停止させる。
【００１８】
ユーザによる契約の更新が行われると、管理者は入力部８を介して期限管理部９に設定された使用期限の更新をする。全体制御部８は、使用期限の更新があった時、期限管理部９のフラグＦ１がオンになっていれば、フラグＦ１をオフにするとともに、表示部９に出してある「使用期限日前の１か月前になりました。更新手続きを早めに行って下さい。」なるメッセージを消す。また、この時、フラグＦ２がオンになっていれば、フラグＦ２をオフするとともに、表示部９に出してある「使用期限日になりましたので、低速モードに移行します。１か月以内に更新手続きがないと、装置が停止します。」なるメッセージを消す。また、この時、フラグＦ３がオンになっていれば、フラグＦ３をオフするとともに、表示部９に出してある「使用期限日から１か月が経過しましたので、装置は停止します。更新手続きを行って下さい。」なるメッセージを消す。
【００１９】
以上の実施例１によれば、使用期限日が到来した場合、加工機能を実現するために必要な各種機能のうちのテーブル２の移動動作だけ遅くした低速モードに移行するので、本来の加工機能が不安定になるとか、動作態様が大きく変化して加工品質が変わってしまうような事態になることなく、ユーザに装置の変化を気付かせることができる。従って、ユーザに大きな不都合を生じさせることなく使用期限の到来を気付きやすくすることができる。また、加工単位の終了を待って低速モードに移行するので、加工途中で装置が全く動かなくなるようなことはなく、ユーザの都合を考慮したものにすることができる。
【００２０】
実施例２
図４は実施例２となるドリル加工装置のブロック図、図５はこのドリル加工装置のタイミングチャート、図６はこのドリル加工装置の全体制御部による処理のフローチャートである。
【００２１】
図４において、２１はプリント基板、２２はプリント基板２１を載置するテーブル、２３はプリント基板２１に穴明け加工処理をするためのドリル、２４はドリル２３を回転させるモータ内蔵型のスピンドルを保持するスピンドルユニットである。２５はテーブルのＸ方向への移動を行うテーブル駆動部で、これの移動速度は通常速度の場合とそれより低速の場合の２種類がある。２６はスピンドルユニット２４が搭載される図示しないクロススライドのＹ方向への移動を行うＹ方向駆動部で、プリント基板２１に穴を明けようとする位置にドリル２３が向くよう、テーブル２２はテーブル駆動部２５とＹ方向駆動部２６により駆動される。２７はスピンドルユニット２４を垂直方向に駆動するスピンドル駆動部２７である。２８は装置の所有者等である管理者が情報を入力するための入力部、２９はオペレータに各種の情報を伝える役目をする表示部、３０は装置全体の動作を制御する、例えばプログラム制御の処理装置によって実現される全体制御部である。テーブル駆動部２５、Ｙ方向駆動部２６、スピンドル駆動部２７及び表示部２９は、全体制御部３０によって制御される。全体制御部３０は各種の制御機能を有し、図示されていないブロックにも接続されている。
【００２２】
３１は全体制御部３０の中にあって、装置の使用期限を管理するための期限管理部である。期限管理部３１は外部から設定された使用期限と現在の日時情報を記憶するとともに３つのフラグＦ２１〜Ｆ２３を有し、これらは不揮発性のメモリで構成される。全体制御部３０は、期限管理部３１に記憶されている現在の日時と使用期限とを比較し、使用期限日前の１か月が経過するとフラグＦ２１をオンし、使用期限日になるとフラグＦ２１をオフしてフラグＦ２２をオンし、使用期限日から１か月が経過するとフラグＦ２２をオフしてフラグＦ２３をオンするようになっている。１２は全体制御部１０の中にあって、例えばテーブル２に載置された一枚のプリント基板１の加工が終了したかどうかを検出する加工単位終了検出部である。
【００２３】
全体制御部３０は、予め入力されたプリント基板２１の穴座標データに基き、テーブル駆動部２５に与えてテーブル２２の移動を制御するためのテーブルデータとＹ方向駆動部２６に与えてクロススライドのＹ方向への移動を制御するためのＹ方向駆動データを作成し、記憶する。その後、全体制御部３０は以下のように穴明け加工を進める。
【００２４】
先ず、全体制御部３０は期限管理部３１のフラグの状態を調べ、いずれのフラグもオンになっていなければ、以下の通常運転を行う。すなわち、通常速度での移動を指示するテーブル移動指令信号Ｍ１−Ａをテーブル駆動部２５に出力させるとともにＹ方向移動指令信号Ｍ３をＹ方向駆動部２６に出力させる。テーブル移動動作が終了してテーブル駆動部２５からのテーブル動作完了信号Ｍ２とＹ方向移動動作が完了してＹ方向駆動部２６からのＹ方向移動動作完了信号Ｍ４を検知すると、全体制御部３０はスピンドル駆動部２７にスピンドル移動動作を指示するスピンドル移動動作指示信号Ｍ５を出力させ、穴明け動作を開始する。全体制御部３０は、一つの穴明け動作が終了してスピンドル駆動部２７からのスピンドル移動動作完了信号Ｍ６を検知すると、次の穴の加工を目指し、通常速度での移動を指示するテーブル移動指令信号Ｍ１−Ａをテーブル駆動部２５に出力させるとともにＹ方向移動指令信号Ｍ３をＹ方向駆動部２６に出力させる。以降、同様に動作する。
【００２５】
上記において、もしも期限管理部３１のフラグＦ２１がオンになっていたら、表示部２９に「使用期限日の１か月前になりました。更新手続きを早めに行って下さい。」なるメッセージを表示させておき、通常運転を行う。また、期限管理部３１のフラグＦ２２がオンになっていたら、加工単位終了検出部２２による加工単位の終了検出を待って、表示部２９に「使用期限日になりましたので、低速モードに移行します。１か月以内に更新手続きがないと、装置が停止します。」なるメッセージを表示させておき、この状態おいては、テーブル移動動作を通常より低い速度で行うよう指示するテーブル移動指令信号Ｓ１−Ｂをテーブル駆動部２５に出力させるようにし、運転を行う。また、期限管理部３１のフラグＦ２３がオンになっていたら、加工単位終了検出部２２による加工単位の終了検出を待って、表示部２９に「使用期限日から１か月が経過しましたので、装置は停止します。更新手続きを行って下さい。」なるメッセージを表示させておき、装置を停止させる。
【００２６】
ユーザによる契約の更新が行われると、管理者は入力部２８を介して期限管理部３１に設定された使用期限の更新をする。全体制御部３０は、この時、期限管理部３１のフラグＦ２１がオンになっていれば、フラグＦ２１をオフにするとともに、表示部２９に出してある「使用期限日前の１か月前になりました。更新手続きを早めに行って下さい。」なるメッセージを消す。また、この時、フラグＦ２２がオンになっていれば、フラグＦ２２をオフするとともに、表示部２９に出してある「使用期限日になりましたので、低速モードに移行します。１か月以内に更新手続きがないと、装置が停止します。」なるメッセージを消す。また、この時、フラグＦ２３がオンになっていれば、フラグＦ２３をオフするとともに、表示部２９に出してある「使用期限日から１か月が経過しましたので、装置は停止します。更新手続きを行って下さい。」なるメッセージを消す。
【００２７】
以上の実施例２においても、使用期限日が到来した場合、実施例１の場合と同様、ユーザに大きな不都合を生じさせることなく使用期限の到来を気付かせることができ、ユーザの都合を考慮したものにすることができる。
【００２８】
なお、以上の実施例１及び２において、加工単位終了検出部１２、３２は一枚のプリント基板１の加工が終了したかどうかを検出するようになっているが、それぞれが終了を検出する加工物の加工単位としては、必ずしも一個でなく、生産管理あるいは品質管理を行う場合の適当な個数でも良い。
【００２９】
また、以上の実施例１及び２において、期限管理部１１、３１に設定された使用期限の更新は、それぞれ入力部８、２８から管理者が行うようになっているが、インターネットを介して行うようにしても良いし、ユーザが入力部８、２８から更新できるようにユーザにパスワードを与えるような方式としても良い。
【００３０】
また、以上の実施例１及び２において、使用期限日が到来した場合、テーブルの移動速度を通常より低くしたが、使用期限日から所定の期間過ぎたら、テーブルの移動速度を通常より低くしても良く、本発明においては、いつの時点から切り替えるかは適宜選択できる事項である。
【００３１】
また、以上の実施例１及び２において、使用期限日が到来した場合、テーブルの移動速度だけを通常より低くしたが、それ以外についても、本発明の思想を逸脱しない範囲で多少の切り替えを行っても良いことは当業者にとって明らかであり、本発明の範囲である。
【符号の説明】
【００３２】
１：プリント基板  ２：テーブル  ３：光学系  ４：レーザパルス供給系
５：テーブル駆動部  ６：ガルバノ制御部  ７：レーザ制御部  ８：入力部
９：表示部  １０：全体制御部  １１：期限管理部  １２：加工単位終了検出部
２１：プリント基板  ２２：テーブル  ２３：ドリル  ２４：スピンドルユニット
２５：テーブル駆動部  ２６：Ｙ方向駆動部  ２７：スピンドル駆動部  ２８：入力部
２９：表示部、３０：全体制御部、３１：期限管理部  ３２：加工単位終了検出部
Ｓ１：テーブル移動指令信号  Ｓ２：テーブル動作完了信号
Ｓ３：ガルバノ動作指令信号  Ｓ４：ガルバノ動作完了信号
Ｓ５：レーザ出力指令信号  Ｓ６：レーザ出力動作完了信号
Ｍ１：テーブル移動指令信号  Ｍ２：テーブル動作完了信号
Ｍ３：Ｙ方向移動動作指令信号  Ｍ４：Ｙ方向移動動作完了信号
Ｍ５：スピンドル移動動作指令信号  Ｍ６：スピンドル移動動作完了信号
【図１】
2016126682.tif 000003
【図２】
2016126682.tif 000004
【図４】
2016126682.tif 000005
【図３】
2016126682.tif 000006
【図５】
2016126682.tif 000007
【図６】
2016126682.tif 000008